(57)【要約】      （修正有）【課題】製品ごとに制動力が調節可能な制動装置を備える遮蔽装置を提供する。【解決手段】引張コード１０２を引くことにより遮蔽材１０１を移動可能に構成される遮蔽装置１００Ａであって、遮蔽材１０１の移動に伴って従動する引張コード１０２によって加えられる入力に抵抗を発生させ且つその反作用で引張コード１０２に抵抗を加える制動装置１０００を備え、制動装置１０００は、回転抵抗体を備え、これを回転させることによって抵抗力を発生させ、回転抵抗体の数又は種類を変更可能に構成される。【選択図】図１Ａ
2017210863.tif 000002
【特許請求の範囲】
【請求項１】
引張コードを引くことにより遮蔽材を移動可能に構成される遮蔽装置であって、
前記遮蔽材の移動に伴って従動する前記引張コードによって加えられる入力に抵抗を発生させ且つその反作用で前記引張コードに前記抵抗を加える制動装置を備え、
前記制動装置は、回転抵抗体を備え、これを回転させることによって抵抗力を発生させ、当該回転抵抗体の数又は種類を変更可能に構成される、
遮蔽装置。
【請求項２】
前記制動装置がヘッドボックスに着脱可能に収容される、請求項１に記載の遮蔽装置。
【請求項３】
前記制動装置は、ケースを備え、前記ケース内に前記回転抵抗体を着脱可能に保持する回転抵抗体ホルダを備え、当該回転抵抗体ホルダの自転に伴って前記回転抵抗体が公転する、請求項１又は請求項２に記載の遮蔽装置。
【請求項４】
前記ケースは、前記回転抵抗体と前記回転抵抗体ホルダとを収容する下ケースと、前記下ケースを遮蔽する上ケースとからなり、前記上ケースは、前記下ケースから着脱可能に構成される、請求項３に記載の遮蔽装置。
【請求項５】
前記上ケースは、ネジ止め又はスナップフィット機構により前記下ケースから着脱可能に構成される、請求項４に記載の遮蔽装置。
【請求項６】
前記ケースは、前記回転抵抗体と前記回転抵抗体ホルダとを収容する下ケースと、前記下ケースを遮蔽する上ケースとからなり、前記下ケースを開閉可能に構成される、請求項３に記載の遮蔽装置。
【請求項７】
前記回転抵抗体ホルダは、前記回転抵抗体が載置される載置部を備える、請求項３〜請求項６の何れか１つに記載の遮蔽装置。
【請求項８】
前記回転抵抗体ホルダは、前記自転の際に前記回転抵抗体の側面と当接する当接部を更に備え、前記回転抵抗体は、前記回転抵抗体ホルダの自転により前記当接部に押圧されることによって公転し且つその遠心力によって前記公転の外周側に移動し、前記ケースの内壁との間の摩擦によって前記制動力を発生させ、これが前記回転抵抗体の個数又は種類に応じて調節可能に構成される、請求項７に記載の遮蔽装置。
【請求項９】
前記載置部は、複数であって、１つの載置部には１つの回転抵抗体が載置可能に構成される、請求項７又は請求項８に記載の遮蔽装置。
【請求項１０】
前記載置部は、複数であって、前記回転抵抗体の公転に係る円周上に配置され、それぞれが周方向に等間隔且つ前記回転抵抗体ホルダの自転中心から等距離に配置される、請求項７〜請求項９の何れか１つに記載の遮蔽装置。
【請求項１１】
前記載置部の個数は、２〜１６個である、請求項７〜請求項１０の何れか１つに記載の遮蔽装置。
【請求項１２】
前記載置部の個数は、４個である、請求項１１に記載の遮蔽装置。
【請求項１３】
前記載置部の個数は、８個である、請求項１１に記載の遮蔽装置。
【請求項１４】
前記載置部は、前記回転抵抗体の形状に略等しい、請求項７〜請求項１３の何れか１つに記載の遮蔽装置。
【請求項１５】
前記載置部に載置される前記回転抵抗体の個数は、２〜１６個である、請求項７〜請求項１４の何れか１つに記載の遮蔽装置。
【請求項１６】
前記回転抵抗体は、複数であって円周上に配置され、それぞれが周方向に等間隔且つ前記回転抵抗体ホルダの自転中心から等距離に配置される、請求項７〜請求項１５の何れか１つに記載の遮蔽装置。
【請求項１７】
前記遮蔽装置は、ブラインド装置である、請求項１〜請求項１６の何れか１つに記載の遮蔽装置。
【請求項１８】
引張コードを引くことにより遮蔽材を移動可能に構成される遮蔽装置に対して、前記遮蔽材の移動に伴って従動する前記引張コードによって加えられる入力に抵抗を発生させ且つその反作用で前記引張コードに前記抵抗を加える制動装置を設ける際に、前記制動装置内に設けられた回転抵抗体であって回転することによって抵抗力を発生させる回転抵抗体の個数又は種類を遮蔽装置によって変えることを特徴とする、遮蔽装置の製造方法。
【請求項１９】
前記遮蔽装置は、ブラインド装置である、請求項１８に記載の遮蔽装置の製造方法。
【発明の詳細な説明】
【技術分野】
【０００１】
本発明は、遮蔽装置に関するものである。
【背景技術】
【０００２】
ロールカーテン、ブラインド、アコーディオンカーテン、プリーツ網戸及び間仕切り等の遮蔽装置が実用されている。例えば、遮蔽装置が横型ブラインドであれば、これを開状態とする場合には、操作用コードを引くことで、遮蔽部材であるスラット及びボトムレールが引き上げられる。また、横型ブラインドを閉状態とする場合には、一般的に、スラット及びボトムレールの自重を用いて重力によりこれらのスラット及びボトムレールを下ろす。このとき、スラット及びボトムレールの移動（ここでは特に自重降下）に伴い移動する昇降コードに制動力を加えて、スラット及びボトムレールの下降する勢いを低減させる機構が知られている。もちろん、かかる移動は単に自重降下に限定されるものではなく、例えばロールカーテンであれば自動上昇が当てはまり、アコーディオンカーテンであれば自動横移動が当てはまる。
【０００３】
特許文献１には、制動力を発生する遠心ガバナと、ブレーキ部に連結される軸（コードキャッチ）とからなるダンパであって、昇降コードが当該軸の外周面に接触し、昇降コードの移動によって当該軸が回転して当該ブレーキ部が作動することを特徴とするダンパを備えるブラインドの昇降装置が開示されている。このダンパを用いることで遮蔽材の移動に伴う昇降コードの移動に対して確実に抵抗を与えることができる。
【先行技術文献】
【特許文献】
【０００４】
【特許文献１】特開２００５−０３００８４号公報
【発明の概要】
【発明が解決しようとする課題】
【０００５】
しかし、遮蔽装置（以下製品と称する）の種類や大きさ等によって所望する制動力は異なる。そのため、異なる製品に対して同一のダンパを用いると、製品ごとに遮蔽材の移動速度が異なるものとなってしまう。一方で、製品ごとに異なる制動力を実現したい場合は異なるダンパが必要となり、その結果、部品点数の増加やコスト増が問題となる。また、同一の製品であっても制動力の微調整が必要な場合や、使用、経年によって所望する制動力が変化する場合も想定される。
【０００６】
本発明はこのような事情に鑑みてなされたものであり、製品ごとに制動力が調節可能な制動装置を備える遮蔽装置を提供するものである。
【課題を解決するための手段】
【０００７】
本発明の第１の観点によれば、引張コードを引くことにより遮蔽材を移動可能に構成される遮蔽装置であって、前記遮蔽材の移動に伴って従動する前記引張コードによって加えられる入力に抵抗を発生させ且つその反作用で前記引張コードに前記抵抗を加える制動装置を備え、前記制動装置は、回転抵抗体を備え、これを回転させることによって抵抗力を発生させ、当該回転抵抗体の数又は種類を変更可能に構成される、遮蔽装置が提供される。
【０００８】
本発明の第２の観点によれば、引張コードを引くことにより遮蔽材を移動可能に構成される遮蔽装置に対して、前記遮蔽材の移動に伴って従動する前記引張コードによって加えられる入力に抵抗を発生させ且つその反作用で前記引張コードに前記抵抗を加える制動装置を設ける際に、前記制動装置内に設けられた回転抵抗体であって回転することによって抵抗力を発生させる回転抵抗体の個数又は種類を遮蔽装置によって変えることを特徴とする、遮蔽装置の製造方法が提供される。
【発明の効果】
【０００９】
このような遮蔽装置によれば、回転抵抗体の個数又は種類を可変とすることで、製品や状態に合わせて制動力を調節することができる。
【００１０】
以下、本発明の種々の実施形態を例示する。以下に示す実施形態は、互いに組み合わせ可能である。
【００１１】
好ましくは、前記制動装置がヘッドボックスに着脱可能に収容される。
【００１２】
好ましくは、前記ケース内に前記回転抵抗体を着脱可能に保持する回転抵抗体ホルダを備え、当該回転抵抗体ホルダの自転に伴って前記回転抵抗体が公転する。
【００１３】
好ましくは、前記ケースは、前記回転抵抗体と前記回転抵抗体ホルダとを収容する下ケースと、前記下ケースを遮蔽する上ケースとからなり、前記上ケースは、前記下ケースから着脱可能に構成される。
【００１４】
好ましくは、前記上ケースは、ネジ止め又はスナップフィット機構により前記下ケースから着脱可能に構成される。
【００１５】
好ましくは、前記ケースは、前記回転抵抗体と前記回転抵抗体ホルダとを収容する下ケースと、前記下ケースを遮蔽する上ケースとからなり、前記下ケースを開閉可能に構成される。
【００１６】
好ましくは、前記回転抵抗体ホルダは、前記回転抵抗体が載置される載置部を備える。
【００１７】
好ましくは、前記回転抵抗体ホルダは、前記自転の際に前記回転抵抗体の側面と当接する当接部を更に備え、前記回転抵抗体は、前記回転抵抗体ホルダの自転により前記当接部に押圧されることによって公転し且つその遠心力によって前記公転の外周側に移動し、前記ケースの内壁との間の摩擦によって前記制動力を発生させ、これが前記回転抵抗体の個数又は種類に応じて調節可能に構成される。
【００１８】
好ましくは、前記載置部は、複数であって、１つの載置部には１つの回転抵抗体が載置可能に構成される。
【００１９】
好ましくは、前記載置部は、複数であって、前記回転抵抗体の公転に係る円周上に配置され、それぞれが周方向に等間隔且つ前記回転抵抗体ホルダの自転中心から等距離に配置される。
【００２０】
好ましくは、前記載置部の個数は、２〜１６個である。
【００２１】
好ましくは、前記載置部の個数は、４個である。
【００２２】
好ましくは、前記載置部の個数は、８個である。
【００２３】
好ましくは、前記載置部は、前記回転抵抗体の形状に略等しい。
【００２４】
好ましくは、前記載置部に載置される前記回転抵抗体の個数は、２〜１６個である。
【００２５】
好ましくは、前記回転抵抗体は、複数であって円周上に配置され、それぞれが周方向に等間隔且つ前記回転抵抗体ホルダの自転中心から等距離に配置される。
【００２６】
好ましくは、前記遮蔽装置は、ブラインド装置である。
【図面の簡単な説明】
【００２７】
【図１Ａ】本発明の実施形態に係る遮蔽装置１００の一例を示す図である。
【図１Ｂ】本発明の実施形態に係る遮蔽装置１００の一例を示す図である。
【図１Ｃ】本発明の実施形態に係る遮蔽装置１００の一例を示す図である。
【図２】本発明の本実施形態に係る制動装置１０００の分解斜視図であり、（ａ）は前方上側から見た図、（ｂ）は後方上側から見た図である。
【図３】本発明の本実施形態に係る制動装置１０００の分解斜視図であり、（ａ）は前方下側から見た図、（ｂ）は後方下側から見た図である。
【図４】ウェイト３４０に突起３４１を設ける代わりに、ベースに溝７０９を設けた例を表す図であり、（ａ）は平面図、（ｂ）はＳ−Ｓ線切断部断面図である。
【図５】本発明の本実施形態に係る制動装置１０００の組立図であり、（ａ）は前方斜視図、（ｂ）は後方斜視図、（ｃ）は左側面図である。
【図６】本発明の本実施形態に係る制動装置１０００の組立図であり、（ａ）は平面図、（ｂ）は底面図である。
【図７】本発明の本実施形態に係る制動装置１０００からケース１０Ａを除いた組立図であり、（ａ）は前方斜視図、（ｂ）は後方斜視図である。
【図８】図７から更にスライダー２２０を除いた組立図であり、（ａ）は前方斜視図、（ｂ）は後方斜視図である。
【図９】図８から更に内歯付キャリア２６０を除いた組立図であり、（ａ）は前方斜視図、（ｂ）は後方斜視図である。
【図１０】本発明の本実施形態に係るローレット２４０、スライダー２２０及びピニオンギア５０の位置関係を示す断面図であり、制動装置１０００の左側面から見て軸芯３１の略中心を通る断面図の一部である。
【図１１】本発明の本実施形態に係る整列部材２００を表す図であり、（ａ）は斜視図、（ｂ）は正面図である。
【図１２】本発明の本実施形態に係るケース１０Ａを表す図であり、（ａ）は前方斜視図、（ｂ）は後方斜視図である。
【図１３】本発明の本実施形態に係るケース１０Ａを表す図であり、（ａ）は平面図、（ｂ）は下側から見た斜視図である。
【図１４】本発明の本実施形態に係るスライダー２２０を表す図であり、（ａ）は前方斜視図、（ｂ）は下側から見た後方斜視図、（ｃ）は平面図である。
【図１５】本発明の本実施形態に係るケース１０Ａ及びスライダー２２０を表す図であり、（ａ）は下側から見た斜視図、（ｂ）は上側から見た斜視図である。
【図１６】本発明の本実施形態に係るケース１０Ａ及びスライダー２２０以外の部材を表す分解斜視図である。
【図１７】図５（ｃ）のＡ−Ａ線切断部断面図である。
【図１８】図６（ａ）のＢ−Ｂ線切断部断面図である。
【図１９】図１７を用いて本発明の制動装置１０００がコードＣＤを制動する様子を示す図であり、（ａ）はコードＣＤに何ら張力が与えられない状態（定常状態）、（ｂ）はコードＣＤに張力が与えられ、ローレット２４０及びローラ部４２でコードＣＤが挟着された状態（挟着状態）、（ｃ）は（ａ）から（ｂ）へ状態変化する際における各部材の回転方向をまとめた図である。
【図２０】本発明の実施形態に係る太陽歯車付ウェイトホルダ３２０において、保持させるウェイト３４０の個数を可変させた場合を示している。
【図２１】本発明の実施形態に係る制動装置の他の取付位置について説明するための図である。
【図２２】変形例に係る制動装置２０００を示す概略図である。
【図２３】変形例に係る制動装置３０００を示す概略図である。
【図２４】本発明の実施形態に係る太陽歯車付ウェイトホルダ３２０に代えて、変形例であって、風切り羽根３４０ｃを保持可能なホルダ３２０ｃを示す概略図である。
【図２５】本発明の実施形態に係るウェイト３４０について、サイズが２種類ある場合を示している。
【図２６】ウェイト３４０を１個しか保持できない従来技術に係るウェイトホルダ３２０ａの一例を示している。
【発明を実施するための形態】
【００２８】
以下、本発明に係る制動装置、及び、それを用いた遮蔽装置の好適な実施形態について図面を参照しながら詳細に説明する。
【００２９】
１．本実施形態
１−１＜全体構成＞
図１Ａ〜図１Ｃは、本実施形態の遮蔽装置１００を示す図である。
図１Ａに示される遮蔽装置１００は、横型ブラインド（あくまでも一例）であり、中空のヘッドボックス１３０から複数本のラダーコード１２３を介して複数段の日射遮蔽部材（スラット）１０１が吊下支持され、同ラダーコード１２３の下端にはボトムレール１２２が吊下支持されている。ヘッドボックス１３０は、上面１３１、底面１３２、側面１３３により構成される。そして、その両端にボックスキャップ１３４が設けられる。また、ヘッドボックス１３０の内部には、操作棒１０８内にコードＣＤを挿通するためのコード出口１３５が設けられる。ラダーコード１２３は、「日射遮蔽部材支持コード」の一形態である。「日射遮蔽部材支持コード」は、日射遮蔽部材１０１を支持及び回動可能なものであればその構成は限定されず、例えば、互いに分離された２本の縦糸を備え、一方の縦糸がスラットの一方の縁に取着され、他方の縦糸がスラットの他方の縁に取着されるような構成であってもよい。
【００３０】
ヘッドボックス１３０内には支持部材（図示せず）が複数個配設され、その支持部材にはチルトドラム（図示せず）が回転可能に支持される。ラダーコード１２３の上端部は、チルトドラムに取着され、そのチルトドラムの中心部にはシャフト１２４（軸部材）が全てのチルトドラムに嵌挿されている。従って、シャフト１２４が回転されると、全てのチルトドラムが回転され、そのチルトドラムの回転にともなって、ラダーコード１２３の縦糸の一方が引き上げられることにより、各日射遮蔽部材１０１及びボトムレール１２２が同位相で角度調節される。
【００３１】
ヘッドボックス１３０の一端部には筒体からなる操作棒１０８が吊下支持されており、操作棒１０８の下端には操作部１２０が設けられている。操作部１２０を把持して操作棒１０８を回転操作すると、ヘッドボックス１３０内に配設されるギヤ機構を介して角度調節軸が回転される。従って、操作棒１０８の回転操作により、各日射遮蔽部材１０１を角度調節可能となっている。
【００３２】
ヘッドボックス１３０からは複数本（本実施形態では３本）の昇降コード１０２ｌ，１０２ｃ，１０２ｒ（区別が不要な場合は単に「昇降コード１０２」と称する。）が吊下されており、各昇降コード１０２の一端はボトムレール１２２に取着される。各支持部材には転向滑車（図示せず）が図面の表裏方向の軸心で軸支され、ヘッドボックス１３０に導入された昇降コード１０２がヘッドボックスの左右方向に転向案内可能となっている。また、各支持部材は他の昇降コードを左右方向に通過可能な空間を有している。従って、右端の昇降コード１０２ｒの他端は支持部材で転向案内され、非操作側の昇降コード（左端及び中央の昇降コード１０２ｌ，１０２ｃ）は各支持部材を経て、ヘッドボックス１３０内を操作棒１０８方向に案内される。そして、ヘッドボックス１３０内に設けられるロック部１０４及び制動装置１０００を経て、筒状の操作棒１０８内に挿通され、その先端は操作部１２０の下方に設けられたコードイコライザ１２１に接続される。したがって、コードイコライザ１２１を下方へ引いて、ヘッドボックス１３０から昇降コード１０２を引き出すと、ボトムレール１２２が引き上げられることにより、日射遮蔽部材１０１が引き上げられる。
【００３３】
制動装置１０００は、ヘッドボックス１３０の底面１３２上に配置され、その両端が側面１３３によって位置決めされる。なお、制動装置１０００を底面１３２に配置することに変えて、底面１３２上に設けた他の部材の上に配置することとしてもよい。このとき、図１Ｂに示されるように、制動装置１０００の底面（ベース７０の底面の外側）には、ヘッドボックス１３０内における配置を固定するための取付部（取付筒７０２）が設けられ、ヘッドボックス１３０の底面に設けられた取付け凹部１３６に取付筒７０２が取付けられる。これにより、制動装置１０００をヘッドボックス１３０内にて安定して配置させることが可能となる。
【００３４】
また、図１Ｂに示されるように、制動装置１０００は、ヘッドボックス１３０内における載置面とシャフト１２４に挟まれるように配置される。つまり、ローラ（後述のローレット２４０）は、ヘッドボックス１３０内において水平方向に移動可能に構成され、ヘッドボックス１３０内に存在するコードＣＤの本数が多い側（図１Ａにおける右側）からコードＣＤの本数が少ない側（図１Ａにおける右側）に向かって前記第２位置から前記第１位置となるように、制動装置１０００がヘッドボックス１３０内に配置される。また、遊星歯車２８０の回転軸がヘッドボックス１３０内において鉛直方向に向くように制動装置１０００が配置される。また、ロック部１０４は、制動装置１０００の前方に配置される。
【００３５】
図１Ｂは、図１Ａ（ａ）の領域Ｚにおける部分拡大図である。図１Ｂ及び図１Ｃに示されるように、コードＣＤは横向きに整列した状態でロック部１０４に案内され、その後捻れ、縦向きに整列した状態で制動装置１０００に案内される。そして、制動装置１０００から出力された後、斜めに整列してコード出口１３５に案内される。
【００３６】
１−２＜制動装置＞
次に、図２〜図１９を用いて、制動装置１０００について説明する。本実施形態に係る制動装置１０００は、コードの移動を制動する制動装置である。具体的には、本実施形態に係る制動装置１０００では、運動変換部に係る機構と抵抗付与部に係る機構が略垂直に位置するように設けられる。ここで、本実施形態においては、図２に示されるように、スライダー２２０、コイルスプリングＳＰ、軸芯４１及びローラ部４２からなるアイドルローラ４０、ローレット２４０、ピニオンギア５０、軸芯３１、ワッシャー２４１、内歯付キャリア２６０及び遊星歯車２８０が、運動変換部を構成し、ウェイト３４０（特許請求の範囲における「回転抵抗体」の一例）、太陽歯車付ウェイトホルダ３２０（特許請求の範囲における「回転抵抗体ホルダ」の一例）及びケース１０Ａが、抵抗付与部を構成する。
【００３７】
図２及び図３は、本実施形態に係る制動装置１０００の分解斜視図である。制動装置１０００は、整列部材２００、ケース１０Ａ、スライダー２２０、コイルスプリングＳＰ、軸芯４１及びローラ部４２からなるアイドルローラ４０、ローレット２４０、ピニオンギア５０、ローレット２４０及びピニオンギア５０を挿通する軸芯３１、ワッシャー２４１、内歯付キャリア２６０、遊星歯車２８０、プレート３００、太陽歯車付ウェイトホルダ３２０、ウェイト３４０及びベース７０により構成される。
【００３８】
本実施形態において、アイドルローラ４０及びローレット２４０は、コードを挟着する挟着体として機能する。また、アイドルローラ４０が支柱に、ローレット２４０がコードの長手方向の移動により回転するローラとして機能する。また、スライダー２２０は、アイドルローラ４０及びローレット２４０を保持する。
【００３９】
図２及び図３に示されるように、本実施形態では、内歯付キャリア２６０に４つの遊星歯車２８０が設けられ、太陽歯車付ウェイトホルダ３２０に８つのウェイト３４０が保持される。以下、各部材について説明する。
【００４０】
１−２−１＜整列部材２００＞
図５（ａ），（ｂ）に示されるように、整列部材２００は、コードＣＤを挿通し、コードＣＤの向きを整えるものである。また、複数のコードＣＤを互いに同じ向きに整列させるものである。整列部材２００は、例えば、プラスチック等の樹脂で形成することができる。ここで、図５（ａ）に示されるように、矢印の向きをそれぞれ前後、左右、上下とする。すなわち、図６に示される第１天壁溝１６と第２天壁溝１７の距離が狭くなる向きを前方とし、左右方向（幅方向）、上下方向を定める。
【００４１】
図１１（ａ）に示されるように、整列部材２００は、前方壁部２０５と、前方壁部２０５に連結される右側壁部２０７及び左側壁部２０８と、右側壁部２０７及び左側壁部２０８のそれぞれに連結される後方壁部２０６と、を有する。前方壁部２０５、右側壁部２０７、左側壁部２０８及び後方壁部２０６の形状は任意であるが、本実施形態では、それぞれ概ね矩形の形状とされる。また、本実施形態では、前方壁部２０５及び後方壁部２０６は、略対称形状である。
【００４２】
前方壁部２０５には第１前方溝２０１、第１前方コード挿入部２０１Ａ、第２前方溝２０２及び第２前方コード挿入部２０２Ａが形成される。また、後方壁部２０６には、第１後方溝２０３、第１後方コード挿入部２０３Ａ、第２後方溝２０４及び第２後方コード挿入部２０４Ａが形成される。
【００４３】
第１前方コード挿入部２０１Ａ及び第２前方コード挿入部２０２Ａは、制動装置１０００の組立後にコードＣＤを整列部材２００に挿通するためのものである。第１前方コード挿入部２０１Ａは、第１前方溝２０１よりも幅広に形成される。また、第２前方コード挿入部２０２Ａは、第２前方溝２０２よりも幅広に形成される。したがって、第１前方コード挿入部２０１Ａ及び第２前方コード挿入部２０２ＡにコードＣＤを挿通し、そのまま第１前方溝２０１及び第２前方溝２０２の方へコードＣＤをスライドさせることで、コードＣＤをスムーズに挿通することが可能となる。
【００４４】
また、第１後方コード挿入部２０３Ａ及び第２後方コード挿入部２０４Ａは、前方壁部２０５に挿通されたコードＣＤが後述するスライダー２２０の前後の貫通孔２２５（図１４参照）を通過し、かかるコードＣＤを後方壁部２０６から外部に引き出すためのものである。第１後方コード挿入部２０３Ａは、第１後方溝２０３よりも幅広に形成される。また、第２後方コード挿入部２０４Ａは、第２後方溝２０４よりも幅広に形成される。したがって、第１後方コード挿入部２０３Ａ及び第２後方コード挿入部２０４ＡにコードＣＤを挿通し、そのまま第１後方溝２０３及び第２後方溝２０４の方へコードＣＤをスライドさせることで、コードＣＤをスムーズに挿通することが可能となる。
【００４５】
なお、第１前方コード挿入部２０１Ａ、第２前方コード挿入部２０２Ａ、第１後方コード挿入部２０３Ａ及び第２後方コード挿入部２０４Ａの形状は任意であり、図１１に示した形状に限定されない。例えば、略円形でもよく、縦長形状から斜め形状を経て第１前方溝２０１（その他の溝でも同じ）に接続されてもよい。更に、本実施形態では、第１前方コード挿入部２０１Ａと第１前方溝２０１の間に段差２１０が設けられているが、かかる段差２１０を設けず、前方壁部２０５（又は後方壁部２０６）を略矩形としてもよい。
【００４６】
図１１（ｂ）に示されるように、本実施形態では、前方壁部２０５及び後方壁部２０６は正面視において略同一形状とされる。したがって、第１前方コード挿入部２０１Ａから挿通されたコードＣＤ（図１１においては不図示）は第１後方コード挿入部２０３Ａを通過し、第２前方コード挿入部２０２Ａから挿通されたコードＣＤは第２後方コード挿入部２０４Ａを通過する。換言すると、第１前方溝２０１及び第１前方コード挿入部２０１Ａと第１後方溝２０３及び第１後方コード挿入部２０３Ａがそれぞれ対応する一対の溝であり、第２前方溝２０２及び第２前方コード挿入部２０２Ａと第２後方溝２０４及び第２後方コード挿入部２０４Ａがそれぞれ対応する一対の溝である。
【００４７】
ここで、図１１（ａ）に示されるように、整列部材２００の右側壁部２０７には、制動装置１０００（図１１においては不図示）の組立時においてケース１０Ａの上方から被せるようにして配置するときに、後述するケース１０Ａの係合孔１９（図１２参照）と係合し、整列部材２００をケース１０Ａに固定するための爪部２０９が設けられる。なお、図１１において図示はしないが、左側壁部２０８にも同様の爪部２０９が設けられる。これにより、整列部材２００に設けられた２つの爪部２０９とケース１０Ａの左右に設けられた２つの係合孔１９とが強固に係合することが可能となる（いわゆるスナップフィット）。なお、ネジ止めであってもよい。
【００４８】
１−２−２＜ケース１０Ａ＞
次に、図１２（ａ），（ｂ）及び図１３を用いてケース１０Ａについて説明する。なお、以下、図１３において左向きを前方、右向きを後方、上向きを右側、下向きを左側として説明する。ケース１０Ａは、ベース７０（図１６等参照）とともに筐体を構成し、その内部に図２において示されたスライダー２２０、コイルスプリングＳＰ、軸芯４１及びローラ部４２からなるアイドルローラ４０、ローレット２４０、ピニオンギア５０、軸芯３１、ワッシャー２４１、内歯付キャリア２６０、遊星歯車２８０、プレート３００、太陽歯車付ウェイトホルダ３２０及びウェイト３４０を保持する。
【００４９】
また、ケース１０Ａは、例えば図１６に示されるベース７０とともに制動装置１０００の筐体を構成するものである。また、例えば図１６に示される太陽歯車付ウェイトホルダ３２０及びウェイト３４０とともに、抵抗付与部を構成するものである。
【００５０】
図１２に示されるように、ケース１０Ａは、外形が概ね正方形の天壁部１１と、前側壁部１２ｆと、前側壁部１２ｆ及び天壁部１１に連結される右側壁部１２ｒ及び左側壁部１２ｌと、右側壁部１２ｒ及び左側壁部１２ｌのそれぞれに連結される後側壁部１２ｂと、天壁部１１に対向し、前側壁部１２ｆ、後側壁部１２ｂ、右側壁部１２ｒ及び左側壁部１２ｌから径方向側に向かって延在する鍔部１３と、鍔部１３に連結される円筒部１３Ｃと、円筒部１３Ｃに連結されるカバー部１１２とを主な構成として有する。
【００５１】
前側壁部１２ｆ及び後側壁部１２ｂには、ガイド溝１１３が形成されている。これら２つのガイド溝１１３は、互いに前後方向に対向している。これらのガイド溝１１３はコードＣＤが前後方向に挿通されるための溝である。ここで、ガイド溝１１３に挿通するコードＣＤの数は特に限定されないが、本実施形態では３本のコードＣＤが縦方向に挿通された例について示している（図５参照）。
【００５２】
また、右側壁部１２ｒ及び左側壁部１２ｌには、係合孔１９が設けられる。係合孔１９は、すでに述べた通り、整列部材２００の爪部２０９と係合し、整列部材２００をケース１０Ａに固定するものである。
【００５３】
更に、左右の係合孔１９の上方には支持溝１１４が設けられる。支持溝１１４は、図５に示されるように、ケース１０Ａがスライダー２２０を内部に保持するにあたり、スライダー２２０に設けられる突起２３０を支持するものである。これにより、スライダー２２０を浮き状態で支持することができる。なお、詳細は後述する。
【００５４】
図１２に示されるように、天壁部１１には、第１天壁溝１６と第２天壁溝１７とが形成されている。図１３（ａ）に示されるように、第１天壁溝１６及び第２天壁溝１７は、それぞれコードＣＤの長手方向すなわち前後方向に対して斜めに形成されており、コードＣＤの一方の長手方向である前方に向かうにつれて、第１天壁溝１６と第２天壁溝１７との距離が小さくされている。また、第１天壁溝１６は円弧状に形成されており、第１天壁溝１６の円弧は、図８に示される内歯付キャリア２６０の内周面と平面視において同心円上となるように形成される。一方、第２天壁溝１７は緩やかなカーブを描いた形状に形成されている。具体的には、第２天壁溝１７は、前方側が略直線状の形状とされ、後方に向かうにつれて、第１天壁溝１６から離れる向きに湾曲している。これは、第２天壁溝１７を略直線状とした場合、第１天壁溝１６は後方から前方に向かってコードＣＤに近づくような円弧であるので、例えば軸芯３１及び軸芯４１がそれぞれ第１天壁溝１６及び第２天壁溝１７に沿って移動するときに、コードＣＤに対する垂直方向の変位が、軸芯３１と軸芯４１とで異なってしまうことを防ぐためである。つまり、一方が円弧であるのに対し、他方が略直線状であると、前後方向においてコードＣＤへの垂直距離が異なるためである。このように、軸芯３１及び軸芯４１のコードＣＤの鉛直方向に対する変位を近接させることにより、ローレット２４０及びローラ部４２が適切にコードＣＤを挟着することが可能となる。なお、第２天壁溝１７はこれに限定されず、例えば、第１天壁溝１６と略同一形状の溝を、コードＣＤ側に向かって湾曲する配置としてもよい。これにより、ＣＤに対する鉛直方向の変位を、軸芯３１と軸芯４１とで略同一にすることができ、コードＣＤの摩耗を低減することが可能となる。ここで、本実施形態では、ＣＤに対する鉛直方向の変位を、軸芯３１と軸芯４１とでなるべく同じにすることに加え、他の部材の移動等による相互作用等を考慮し、図１３（ａ）に示される形状を採用した。
【００５５】
第１天壁溝１６の縁には、図１２（ａ），（ｂ）、図１３（ａ）に示されるように、ケース１０Ａの平面視において、第１天壁溝１６におけるケース１０Ａの外側の縁に沿った位置の少なくとも一部に、第１天壁溝１６から上方に突出する第１ガイド壁１６Ａが設けられる。本実施形態では、第１ガイド壁１６Ａは、第１天壁溝１６に対して略９０度となるように設けられる。第１ガイド壁１６Ａは、第１天壁溝１６に沿って移動する軸芯３１の面圧を下げることを目的としている。つまり、第１ガイド壁１６Ａを設けることにより、軸芯３１と接触する面積が増大することにより、軸芯３１の面圧を低減するものである。これは、コードＣＤに張力が与えられ、制動装置１０００が作用している間は軸芯３１の面圧が第１天壁溝１６の内面に加わっており、かかる面圧により第１天壁溝１６の内面が削れると、ローレット２４０とローラ部４２の間隔が変化して、ローレット２４０への回転伝達が不十分になる恐れがあるためである。第１ガイド壁１６Ａを設けることにより、軸芯３１からの圧力によりケース１０Ａが削れることを防止することが可能となる。なお、第１ガイド壁１６Ａの肉厚は任意であるが、ケース１０Ａの素材、軸芯３１の移動速度等を考慮して適宜設計すればよい。
【００５６】
また、ケース１０Ａの平面視において、第２天壁溝１７におけるケース１０Ａの外側の縁に沿った位置には、ケース１０Ａの中心から遠方に位置する縁に沿った位置の少なくとも一部に、第２天壁溝１７から上方に突出する第２ガイド壁１７Ａが設けられる。本実施形態では、第２ガイド壁１７Ａは、第２天壁溝１７に対して略９０度となるように設けられる。第２ガイド壁１７Ａは、第２天壁溝１７に沿って移動する軸芯４１の面圧を下げることを目的としている。つまり、第２ガイド壁１７Ａを設けることにより、軸芯４１と接触する面積が増大することにより、軸芯４１の面圧を低減するものである。これは、コードＣＤに張力が与えられ、制動装置１０００が作用している間は軸芯４１の面圧が第２天壁溝１７の内面に加わっており、かかる面圧により第２天壁溝１７の内面が削れると、ローレット２４０とローラ部４２の間隔が変化して、ローレット２４０への回転伝達が不十分になる恐れがあるためである。第２ガイド壁１７Ａを設けることにより、軸芯４１からの圧力によりケース１０Ａが削れることを防止することが可能となる。なお、第２ガイド壁１７Ａの肉厚は任意であるが、ケース１０Ａの素材、軸芯４１の移動速度等を考慮して適宜設計すればよい。
【００５７】
なお、ケース１０Ａを金属等の強固な材料で成形した場合には、第１ガイド壁１６Ａ及び第２ガイド壁１７Ａを設けなくてもよい。これは、ケース１０Ａが堅牢であるので、軸芯３１及び軸芯４１からの圧力によりケース１０Ａがほとんど削れることがないためである。
【００５８】
鍔部１３は、天壁部１１に対向し、前側壁部１２ｆ、後側壁部１２ｂ、右側壁部１２ｒ及び左側壁部１２ｌから径方向側に向かって延在する部位であり、本実施形態では略円形とされる。
【００５９】
円筒部１３Ｌは、鍔部１３に連結され、内周ギア１１５の外側に位置する。本実施形態では、円筒部１３Ｃは、略円筒状の形状とされる。
【００６０】
カバー部１１２は、円筒部１３Ｃに連結され、ベース７０と嵌合する箇所である。本実施形態では、カバー部１１２の外縁は略正方形とされる。そして、カバー部１１２は、左右の側面の両端にそれぞれ２つの第１係合溝１１１Ａが設けられる。そして、前端部の両端に２つの第２係合溝１１１Ｂが設けられ、後端部の略中央に１つの第２係合溝１１１Ｂが設けられる。第１係合溝１１１Ａは、図７に示されるベース７０の第１係合板部７０１Ａと係合するものである。また、第２係合溝１１１Ｂは、ベース７０の第２係合板部７０１Ｂと係合するものである。
【００６１】
以上のような構成によれば、ケース１０Ａ（特許請求の範囲における「上ケース」の一例）とベース７０（特許請求の範囲における「下ケース」の一例）が係合され、筐体を形成する。いわゆるスナップフィットであるが、これはネジ止めされてもよい。このような構成によって制動装置１０００における所望の制動力を得るために又は当該制動力を調節するために、太陽歯車付ウェイトホルダ３２０に載置するウェイト３４０の個数を変更することができる。
【００６２】
次に、図１３（ｂ）及び図１５を用いて、ケース１０Ａの内部構造について説明する。ケース１０Ａの内部には、図１７に示されるように、遊星歯車２８０と歯合するリング状の内周ギア１１５が形成される。そして、内周ギア１１５の上部には、平面視において略リング状の波形部１１６が形成される。波形部１１６は、内周ギア１１５の中心を通る円の中心からの水平距離が小さい部分及び大きい部分が交互に並んでおり、平面視においてジグザグ形状となる形状である。具体的には、多数の直線を結んでできる多角形状をなしている。更に、鍔部１３の内面側の面には、段差１１７が設けられる。波形部１１６及び段差１１７を設けることにより、例えば内歯付キャリア２６０等の他の部材の位置決めを容易にし且つ摩擦抵抗を低減することができる。
【００６３】
また、図１５に示されるように、ケース１０Ａの左右の内側面には、４つの溝１１８が形成される。溝１１８は、制動装置１０００を組み立てる又は分解する際に、後述するスライダー２２０の突起２３０を通すためのものである。本実施形態では、スライダー２２０の突起２３０が４つであるため、ケース１０Ａにも４つの溝１１８を設けている。
【００６４】
１−２−３＜スライダー２２０＞
次に、図１４を用いてスライダー２２０について説明する。スライダー２２０は、アイドルローラ４０及びローレット２４０を内部に保持し且つアイドルローラ４０及びローレット２４０と共に移動する移動部材に相当する。スライダー２２０は、天壁部２２１と、天壁部２２１に連結される後側壁部２２２及び前側壁部２２４と、後側壁部２２２及び前側壁部２２４のそれぞれに連結される底壁部２２３とを有する。
【００６５】
天壁部２２１は概ね矩形の形状に一対の溝が形成された形状とされる。これら一対の溝はそれぞれ第１天壁溝２２６及び第２天壁溝２２７とされる。第１天壁溝２２６及び第２天壁溝２２７は、それぞれ左右方向に沿って延在する直線状の溝とされ、互いに直線上に並んでいる。
【００６６】
底壁部２２３は天壁部２２１と対向する。本実施形態では、底壁部２２３は、概ね天壁部２２１と同じ形状とされる。しかし、天壁部２２１と底壁部２２３を異なる形状としてもよい。底壁部２２３にも左右方向に直線上に並んで形成される一対の溝が形成されており、これら一対の溝はそれぞれ第１底壁溝２２８及び第２底壁溝２２９とされる。第１底壁溝２２８が第１天壁溝２２６と上下方向に対向しており、第２底壁溝２２９が第２天壁溝２２７と上下方向に対向している。したがって、スライダー２２０を平面視すると、図１４（ｃ）に示されるように、上下の溝が重なって見える。
【００６７】
ここで、第１天壁溝２２６及び第１底壁溝２２８の幅の大きさは、軸芯３１の直径が収まる程度の大きさである。また、第２天壁溝２２７及び第２底壁溝２２９の幅の大きさは、軸芯４１が収まる程度の大きさである。
【００６８】
また、天壁部２２１には、その四隅に天壁部２２１の左右へ突出するように突起２３０が設けられる。図５に示されるように、突起２３０は、ケース１０Ａの支持溝１１４に収められ、ケース１０Ａの内部にスライダー２２０を浮き状態で支持するためのものである。すなわち、スライダー２２０が、下方に位置する内歯付キャリア２６０と非接触状態で保持される。
【００６９】
前側壁部２２４及び後側壁部２２２には、貫通孔２２５が形成されている。貫通孔２２５は、前側壁部２２４及び後側壁部２２２の幅方向の略中央において前側壁部２２４及び後側壁部２２２を前後方向に貫通する。孔の形状は任意であるが、少なくともコードＣＤ１本が挿通可能な程度である。好ましくは、複数本のコードＣＤが縦方向に整列した状態で挿通可能な形状である。なお、本実施形態では、上下方向に長い略長円形の形状とされる。
【００７０】
また、図１４（ｂ）に示されるように、後側壁部２２２には、貫通孔２２５の両脇に、後側壁部２２２の外側面から形成される凹部２３１が形成されている。凹部２３１の形状は任意であり、図１４（ｂ）に示されるような貫通孔２２５から側面側にかけて切り欠かれた形状でもよく、略円形、略矩形の凹み等であってもよい。また、本実施形態では、左側の凹部２３１内にコイルスプリングＳＰが配置されており、コイルスプリングＳＰの一端は凹部２３１から突出している。そして、制動装置１０００の組立時において、ケース１０Ａの内壁と当接し、スライダー２２０を前方に付勢する。なお、図１４ではコイルスプリングＳＰの凹部２３１から突出している部分を省略している。また、右側の凹部２３１内にコイルスプリングＳＰを配置してもよい。更に、左右両方の凹部２３１内にコイルスプリングＳＰを配置してもよい。
【００７１】
このような形状のスライダー２２０の左右方向の大きさは、ケース１０Ａの幅方向の内壁間の距離と概ね同じであり、スライダー２２０の前後方向の大きさは、ケース１０Ａの前後方向の内壁間の距離よりも小さくされる。したがって、スライダー２２０がケース１０Ａの空間内に配置されると、スライダー２２０の天壁部２２１及び底壁部２２３の側面がケース１０Ａの幅方向において内壁面に当接して、スライダー２２０はケース１０Ａに対して幅方向に動きが規制される。この状態において、ケース１０Ａのガイド溝１１３とスライダー２２０の貫通孔２２５とが互いに前後方向に並ぶ。つまり、貫通孔２２５は、コードＣＤをスライダー２２０内に挿通するための孔である。一方、スライダー２２０がケース１０Ａの空間内に配置された状態で、スライダー２２０とケース１０Ａの内壁面との間には、前後方向に隙間が生じ、スライダー２２０はケース１０Ａに対して前後方向に動くことができる。また、スライダー２２０がケース１０Ａの空間内に配置された状態で、スライダー２２０の後側壁部２２２の凹部２３１から突出するコイルスプリングＳＰがケース１０Ａの後方の内壁を押圧する。したがって、スライダー２２０がケース１０Ａの空間内に配置された状態で、スライダー２２０は、前方側に位置し、ケース１０Ａ内において前方に押圧された状態となる。
【００７２】
ここで、図１５を用いて、スライダー２２０の突起２３０について詳細に説明する。図１５に示されるように、制動装置１０００を組み立てる際には、ケース１０Ａ内部の下方にスライダー２２０が位置するように配置し、両者が接近するように上下方向に相対移動させる。そして、ケース１０Ａの内部に設けられた溝１１８にスライダー２２０に設けられた突起２３０を通す。なお、図１５（ａ）において、可視性を高めるために溝１１８を強調して表している。そして、図５に示すように、突起２３０が支持溝１１４まで到達するまでケース１０Ａとスライダー２２０を近づける。すると、スライダー２２０に設けられたコイルスプリングＳＰがケース１０Ａの後方の内壁と当接し、スライダー２２０を前方に付勢することにより、突起２３０が溝１１８よりも前方に位置することとなる。このため、ひとたびケース１０Ａにスライダー２２０を取り付けると、突起２３０が支持溝１１４から外れることを防止できる。なお、溝１１８は制動装置１０００の組み立て時のみならず、分解時においても突起２３０を通す役割をする。この場合、コイルスプリングＳＰの付勢力に抗してスライダー２２０をケース１０Ａに対して相対的に後方に移動させ、突起２３０が溝１１８の位置まで到達したときに、スライダー２２０をケース１０Ａに対して相対的に下側に移動させればよい。
【００７３】
このような構成とすることで、スライダー２２０をケース１０Ａ内部において浮き状態で支持することが可能となる。そのため、スライダー２２０と他の部品、例えば内歯付キャリア２６０等との接触を防止することができ、不要な抵抗力を低減又はゼロにすることができる。したがって、各部材の消耗を低減することが可能となる。
【００７４】
１−２−４＜アイドルローラ４０、ローレット２４０及びピニオンギア５０＞
次に、図３及び図１６を用いて、アイドルローラ４０、ローレット２４０及びピニオンギア５０について説明する。
【００７５】
アイドルローラ４０は、ローラ部４２及び軸芯４１で構成される。また、アイドルローラ４０は、ローレット２４０の軸芯３１と平行な軸芯４１と、軸芯４１の外周面を覆うローラ部４２とを有する。したがって、ローレット２４０の回転軸とアイドルローラ４０の回転軸とは互いに平行とされる。アイドルローラ４０のローラ部４２の外径は、ローレット２４０の外径よりも大きくされている。アイドルローラ４０のローラ部４２の外周面は、金属の平坦な面よりも摩擦係数が高い状態とされる。また、軸芯４１の両端部は、ローラ部４２から露出している。
【００７６】
ローレット２４０の中心には軸芯３１の一端が挿入されている。そして、軸芯３１の他端には、ピニオンギア５０が挿入されている。ローレット２４０は任意の材料で形成することができ、例えばステンレスを用いることが可能である。
【００７７】
アイドルローラ４０及びローレット２４０はスライダー２２０の内部に保持される。また、ピニオンギア５０は、スライダー２２０の外部に保持される。ここで、図１０を用いてローレット２４０、スライダー２２０及びピニオンギア５０の位置関係について説明する。図１０は、本実施形態に係る制動装置１０００の左側面から見て軸芯３１の略中心を通る断面図の一部である。図１０に示されるように、制動装置１０００の組み立て時において、ローレット２４０とピニオンギア５０でスライダー２２０の底壁部２２３を挟み込むような構成となっている。また、本実施形態では、ピニオンギア５０とスライダー２２０の接触面積を低減すべく、ピニオンギア５０に段差５１が設けられる。これにより、軸芯３１を介してローレット２４０及びピニオンギア５０が一体回転するときに、ピニオンギア５０とスライダー２２０との間の摺動抵抗を低減することができる。これにより、回転動作を滑らかにすることが可能となる。なお、抵抗を低減するために、本実施形態では、ピニオンギア５０の下側において、ワッシャー２４１（図２及び図３参照）を軸芯３１にかましている。
【００７８】
１−２−５＜内歯付キャリア２６０及び遊星歯車２８０＞
次に、図２及び図１６を用いて内歯付キャリア２６０及び遊星歯車２８０について説明する。本実施形態では、内歯付キャリア２６０は、平面視において略ドーナツ形状である。内歯付キャリア２６０は、円柱部２６４から平面視において外側に突出するフランジ２６２を備える。
【００７９】
円柱部２６４の内側の内周面には、ピニオンギア５０と歯合する内歯車２６１が形成される。そして、フランジ２６２には、鉛直方向において下向きに突出する支持軸２６３が形成される。支持軸２６３の個数は特に限定されないが、特に等間隔であることが好ましい。なお、本実施形態では、一例として支持軸２６３が４つ設けられた構成としている。
【００８０】
そして、支持軸２６３にはそれぞれ、遊星歯車２８０が回転可能に支持されている。遊星歯車２８０は、後述する太陽歯車３２３と、ケース１０Ａの内部に設けられた内周ギア１１５と互いに歯合する。そして、内歯車２６１の中心部を中心として公転することが可能である。したがって、ピニオンギア５０の回転が内歯車２６１に伝達されることにより内歯付キャリア２６０が回転し、それにともない内歯付キャリア２６０のフランジ２６２に設けられた支持軸２６３に回転可能に支持された遊星歯車２８０が回転することで、ピニオンギア５０に起因する回転を増速させることが可能となる。また、遊星歯車２８０には段差２８１が設けられている。かかる段差により、他の部材との接触を回避することが可能となる。
【００８１】
１−２−６＜太陽歯車付ウェイトホルダ３２０及びウェイト３４０＞
次に、太陽歯車付ウェイトホルダ３２０及びウェイト３４０について、図２及び図１６を用いて説明する。太陽歯車付ウェイトホルダ３２０は、リング状のリング部３２４の外方に向かって、凸部３２１（特許請求の範囲における「当接部」の一例）及び凹部３２２（特許請求の範囲における「載置部」の一例）が交互に並んで形成される。図２に示されるように、リング部３２４の外側の外周面には、遊星歯車２８０と歯合する太陽歯車３２３が、回転軸が凸部３２１の延在方向と略垂直方向を向くように設けられる。そして、それぞれの凹部３２２には、ウェイト３４０が配置される。つまり、太陽歯車付ウェイトホルダ３２０は、制動装置１０００の組み立て時において、凸部３２１を境としてそれぞれの凹部３２２内にウェイト３４０を保持する部材であるとも言える。なお、ウェイト３４０の数は複数であれば任意であるが、回転時におけるバランスの観点から等間隔であることが好ましい。なお、本実施形態では、一例として８つのウェイト３４０を用いている。したがって、凸部３２１及び凹部３２２もそれぞれ８つずつ設けられている。すなわち、凹部３２２は、それぞれが等間隔且つ太陽歯車付ウェイトホルダ３２０の自転中心から等距離に配置されることとなる。
【００８２】
本実施形態では、各ウェイト３４０には、ベース７０側に突起３４１が設けられる。かかる突起３４１により、ベース７０と当接する際における抵抗を低減することが可能となる。突起３４１の数は任意であるが、本実施形態では、一例として４つの突起３４１を設けている。
【００８３】
また、各ウェイト３４０に突起３４１を設ける代わりに、ベース７０に溝を設けることにより、ウェイト３４０とベース７０との抵抗を低減することが可能となる。例えば、図４に示されるように、ベース７０の底部に、周囲より高さの低い溝７０９（図４のリング状のハッチング部分）を設ける。そして、その上にウェイト３４０を配置する。このとき、ウェイト３４０に突起３４１を設けなくとも、ベース７０に溝７０９が設けられたことにより、ウェイト３４０とベース７０との接触面積が低減することにより、ウェイト３４０とベース７０との抵抗を低減することが可能となる。
【００８４】
ウェイト３４０は、ピニオンギア５０に起因する回転時において、遠心力により内歯車２６１の中心から遠ざかる方向に移動し、ケース１０Ａの内周壁と当接することにより、回転に対して遠心ブレーキとして抵抗力を付与するものである。したがって、ケース１０Ａの内周壁、太陽歯車付ウェイトホルダ３２０及びウェイト３４０により、抵抗付与部としての作用を奏することが可能となる。
【００８５】
本実施形態に係るウェイト３４０は、太陽歯車付ウェイトホルダ３２０と別体に構成されることより、必ずしも太陽歯車付ウェイトホルダ３２０における凹部３２２とウェイト３４０の個数が一致する必要はない。つまり、太陽歯車付ウェイトホルダ３２０における凹部３２２は、本実施形態では８個としているが、８個全ての凹部３２２にウェイト３４０を載置する必要はなく、製品ごとや使用、経年に応じて変化する所望する制動力に合わせてウェイト３４０の個数を調節することができる。更に、着脱可能に構成されていることから、ウェイト３４０の種類（材料・材質、サイズや摩擦係数等を含む）を変化させることにより、制動力を調節することもできる。例えば、ウェイト３４０の材質に着目するならば、例えば、ウェイト３４０は、鉛製のものであってもよいし樹脂製のものを用いてもよい。これらを任意に選択し組み合わせることで、制動力を調節することができる。ただし、あくまでも例示でありこの限りではない。また、ウェイト３４０のサイズに着目するならば、図２５（ａ）に示される通常サイズのウェイト３４０（比較のため便宜的にウェイト３４０ａと表示）と、図２５（ｂ）に示される通常の半分サイズのウェイト３４０ｂとを用いてもよい。これらを任意に選択し組み合わせることで、制動力を調節することができる。本例においては、ウェイト３４０ｂは、ウェイト３４０ａから径方向外側の領域半分を占めるように形成されており、使用する際に太陽歯車付ウェイトホルダ３２０における凹部３２２の領域内で無駄な動きがない構成となっている。もちろんこれに限定されるものではなく、不図示ではあるが径方向内側の領域半分を占めるように形成されてもよいし、３種類以上に係るサイズのウェイト３４０を用意してもよい。更に、１つの凹部３２２に１つのウェイト３４０が載置可能に構成されなくてもよく、１つの凹部３２２に複数のウェイト３４０が載置される構成であってもよい。
【００８６】
図２０（ａ）〜（ｄ）及び図２６に一例を示す。図２６は、ウェイトを１個しか保持することができないウェイトホルダ３２０ａの例であり、ウェイト３４０がウェイトホルダ３２０ａに載置されている。このようなウェイトホルダ３２０ａを使用する場合には、ウェイト３４０の個数によって制動力を調節することができない。一方、図２０（ａ）〜（ｄ）は、本実施形態に係る太陽歯車付ウェイトホルダ３２０と、その凹部３２２に載置するウェイト３４０の個数を変化させた場合、すなわち２個、３個、４個、８個とした場合を示している。何れの場合においても、凹部３２２は、それぞれが等間隔且つ太陽歯車付ウェイトホルダ３２０の自転中心から等距離に配置されているので、回転時におけるバランスの観点から太陽歯車付ウェイトホルダ３２０を等間隔に配置することが可能となっている。また図示の通り、凹部３２２は、ウェイト３４０の形状と略等しいことにも留意したい。本例では、ウェイト３４０に合わせて凹部３２２は、略台形状又は略部分円環形状を有している。
【００８７】
つまり、遮蔽装置１００を含む遮蔽装置に対して、制動装置１０００を設ける際に、ウェイト３４０の個数又は種類を遮蔽装置によって変えることを特徴とする、遮蔽装置の製造方法が実現される。
【００８８】
なお、制動装置１０００の組み立て時においては、内歯付キャリア２６０と太陽歯車付ウェイトホルダ３２０が、プレート３００を介して組み立てられる。具体的には、内歯付キャリア２６０の円柱部２６４を太陽歯車付ウェイトホルダ３２０のリング部３２４に挿入するように組み立てる。したがって、円柱部２６４の直径は、リング部３２４の直径よりもわずかに小さく設計される。
【００８９】
ここで、プレート３００は、遊星歯車２８０の傾きを防止するとともに、遊星歯車２８０とウェイト３４０の干渉を防ぐ機能を有する。プレート３００は、リング形状を有し、太陽歯車付ウェイトホルダ３２０における凸部３２１に係る上面に載置される。また、プレート３００の上面は、遊星歯車２８０の下面、特に本実施形態では段差２８１に囲まれて規定される面（特許請求の範囲における「当接面」の一例）と略当接（又は間隔が略０ミリメートル）している。なお、ウェイト３４０は、制動装置１０００全体の厚さを薄くするために、なるべく薄く形成されることが好ましい。特に、プレートの厚さは、０．０１〜０．２ミリメートルであることが好ましく、０．０５〜０．１５ミリメートルであることが更に好ましい。また０．０１，０．０２，０．０３，０．０４，０．０５，０．０６，０．０７，０．０８，０．０９，０．１０，０．１１，０．１２，０．１３，０．１４，０．１５，０．１６，０．１７，０．１８，０．１９，０．２０ミリメートルのうち何れか２つの数値の間であってもよい。更に、プレート３００は、薄く形成するため金属製とするのが好ましいが、技術的に可能である場合には、プレート３００を樹脂形成してもよい。この場合、太陽歯車３２３と一体形成としてもよい。つまり、プレート３００は、運動変換部と抵抗付与部とを隔てるように設けられることとなる。
【００９０】
１−２−７＜ベース７０＞
次に、図２、図３、図６（ｂ）及び図１６を用いて、ベース７０について説明する。図２及び図３に示されるように、ベース７０の略中央には、周囲より嵩高くなっており、下側が凹んでいる円柱部７０８が設けられる。そして、図２及び図６（ｂ）に示されるように、円柱部７０８の上面に第１ベース溝７０６、第１ガイド壁７０６Ａ、第２ベース溝７０７、第２ガイド壁７０７Ａが設けられる。
【００９１】
第１ベース溝７０６及び第１ガイド壁７０６Ａはそれぞれ、ケース１０Ａに設けられた第１天壁溝１６及び第１ガイド壁１６Ａに相当するものである。そして、軸芯３１の下端が第１ベース溝７０６を挿通し、その縁に形成された第１ガイド壁７０６Ａと当接する。同様に、第２ベース溝７０７及び第２ガイド壁７０７Ａはそれぞれ、ケース１０Ａに設けられた第２天壁溝１７及び第２ガイド壁１７Ａに相当するものである。そして、軸芯４１の下端が第２ベース溝７０７を挿通し、その縁に形成された第２ガイド壁７０７Ａと当接する。
【００９２】
なお、円柱部７０８は必須ではないが、円柱部７０８を設ける等して下側をへこませる
ことにより、軸芯３１及び軸芯４１の下端が、制動装置１０００を載置する載置面と接触することを防ぎ、軸芯３１及び軸芯４１の下端を適切に挿通することが可能となる。
【００９３】
また、ベース７０は、左右の側面の両端にそれぞれ２つの第１係合板部７０１Ａが設けられる。そして、前方の側面の両端に２つの第２係合板部７０１Ｂが設けられ、後方の側面の略中央に１つの第２係合板部７０１Ｂが設けられる。第１係合板部７０１Ａは、ケース１０Ａに設けられた第１係合溝１１１Ａと係合するものである。また、第２係合板部７０１Ｂは、ケース１０Ａに設けられた第２係合溝１１１Ｂと係合するものである。これにより、ケース１０Ａとベース７０が係合され、筐体を形成する。
【００９４】
更に、図３、図６（ｂ）及び図１６等に示されるように、ベース７０の底面の外側には、遮蔽装置のヘッドボックス内に制動装置１０００を配置するときに利用する取付筒７０２が設けられる。例えば、ヘッドボックス内に設けられた軸等の部材に取付筒７０２をはめ込むことにより、制動装置１０００をヘッドボックス内にて安定して配置させることが可能となる。
【００９５】
１−３＜組立構成＞
次に、これら各部材を組み立てた状態について、図５〜図９を用いて説明する。図５は、これらの部材を組み合わせて構成された制動装置１０００の組立図である。図５に示されるように、制動装置１０００の外観は、ケース１０Ａ及びベース７０が接続された筐体と、ケース１０Ａの上方から被せるようにして配置された整列部材２００からなる。かかる組立は、図２及び図３に示されるように、各部材同士の中心軸を上下方向に重ねあわせた状態でなされる。具体的には、内歯付キャリア２６０と、ウェイト３４０を保持した太陽歯車付ウェイトホルダ３２０が、プレート３００を介して組み立てられる。このとき、内歯付キャリア２６０に設けられた遊星歯車２８０と、太陽歯車付ウェイトホルダ３２０に設けられた太陽歯車３２３とが互いに歯合するようにする。
【００９６】
そして、スライダー２２０の第１天壁溝２２６及び第１底壁溝２２８に軸芯３１を水平方向に移動させながらスライドさせる。このとき、ローレット２４０はスライダー２２０の内部に、ピニオンギア５０はスライダー２２０の外部に位置するようにされる。また、第２天壁溝２２７及び第２底壁溝２２９に軸芯４１水平方向に移動させながらスライドさせる。このとき、ローラ部４２がスライダー２２０の内部に位置するようにされる。そして、内歯付キャリア２６０に設けられた内歯車２６１とピニオンギア５０が互いに歯合するように、スライダー２２０と内歯付キャリア２６０が互いに近づくように相対移動させる。
【００９７】
その後、これらの部材の下側にベース７０を配置し、図１５に示されるように、スライダー２２０の突起２３０がケース１０Ａの溝１１８を通るようにしてケース１０Ａを上方から被せる。このとき、スライダー２２０に設けられたコイルスプリングＳＰがケース１０Ａの内周壁と当接し、スライダー２２０が前方に付勢され、突起２３０が支持溝１１４から抜け落ちないことを確認する。そして、ケース１０Ａに設けられた第１側壁孔１１９Ａ及び第２側壁孔１１９Ｂと、ベース７０に設けられた第１係合板部７０１Ａ及び第２係合板部７０１Ｂを互いに係合させ、ケース１０Ａとベース７０を固定する。
【００９８】
最後に、ケース１０Ａ及びベース７０で構成される筐体の上方から、整列部材２００を被せる。そして、整列部材２００に設けられた爪部２０９を、ケース１０Ａに設けられた係合孔１９と係合させ、整列部材２００とケース１０Ａを固定する。
【００９９】
このようにして組み立てられた制動装置１０００が、図５に示されるものである。そして、制動装置１０００の組立が完了すると、１本目のコードＣＤが整列部材２００の前方壁部２０５の外側であり第１前方溝２０１の上方に位置するように配置される。そして、２本目のコードＣＤが整列部材２００の第１前方コード挿入部２０１Ａを介して第１前方溝２０１に挿通される。そして、３本目のコードＣＤが第２前方コード挿入部２０２Ａを介して第２前方溝２０２に挿通される。
【０１００】
そして、これらのコードＣＤがケース１０Ａの前後に設けられたガイド溝１１３及びスライダー２２０の前後に設けられた貫通孔２２５に通される。
【０１０１】
そして、かかるコードＣＤのうち、１本目のコードＣＤが、整列部材２００の後方壁部２０６の外側であり第１後方溝２０３の上方に位置するように通される。そして、２本目のコードＣＤが、整列部材２００の後方壁部２０６に設けられた第１後方コード挿入部２０３Ａを介して第１後方溝２０３から外部に通される。そして、３本目のコードＣＤが、第２後方コード挿入部２０４Ａを介して第２後方溝２０４から外部に通される。これにより、図５（ａ），（ｂ）に示される状態となる。
【０１０２】
図５（ｃ）は、制動装置１０００の左側面図、つまり、図５（ａ）の矢印Ｘ方向から見た側面図である。図５（ｃ）に示されるように、制動装置１０００は、側面視において、上側からケース１０Ａ、整列部材２００、ベース７０が視認されることとなる。また、支持溝１１４により突起２３０が支持されていることが伺える。
【０１０３】
図６（ａ）に示されるように、制動装置１０００は、その平面視において、中心から順にケース１０Ａ、整列部材２００、ベース７０の一部の順に視認できる。ここで、図５（ａ），（ｂ）及び図６（ａ）に示されるように、軸芯３１の上端が、スライダー２２０に設けられた第１天壁溝２２６からケース１０Ａに設けられた第１天壁溝１６を挿通し、ケース１０Ａの外部に露出している。同様に、軸芯４１の上端が、スライダー２２０に設けられた第２天壁溝２２７からケース１０Ａに設けられた第２天壁溝１７を挿通し、ケース１０Ａの外部に露出している。
【０１０４】
そして、第１天壁溝１６の縁に設けられた第１ガイド壁１６Ａが軸芯３１と当接し、第２天壁溝１７の縁に設けられた第２ガイド壁１７Ａが軸芯４１と当接している。
【０１０５】
また、図６（ｂ）に示されるように、ベース７０は、その底面視において、第１ベース溝７０６に挿通された軸芯３１の下端と、第２ベース溝７０７に挿通された軸芯４１の下端を視認することができる。なお、取付筒７０２が設けられる面において、円柱部７０８の上を面で覆うことにより、軸芯３１及び軸芯４１の下端が外部から覆われる構成としてもよい。
【０１０６】
１−３−２＜組立状態における内部構造＞
次に、図７〜図９を用いて、組立状態における内部構造について説明する。図７は、図５の状態から整列部材２００及びケース１０Ａを取り外した状態における斜視図である。図７に示されるように、スライダー２２０の上方に軸芯３１及び軸芯４１が突出している。また、軸芯３１は、第１天壁溝２２６内においてスライダー２２０の幅方向に動きが規制される。同様に、軸芯４１は、第２天壁溝２２７内においてスライダー２２０の幅方向に動きが規制される。なお、図示を省略しているコードＣＤは、スライダー２２０の貫通孔２２５に縦に整列された状態でスライダー２２０の前後方向に挿通される。
【０１０７】
図８は、図７の状態から更にスライダー２２０を取り外した状態における斜視図である。図示を省略したコードＣＤは、ローレット２４０及びローラ部４２に挟着された状態で、制動装置１０００の前後に挿通される。また、ピニオンギア５０と内歯車２６１は互いに歯合している。したがって、コードＣＤに張力がかかったときに、コードＣＤとローレット２４０の間で摩擦力が発生し、それによりローレット２４０と一体となってピニオンギア５０が回転すると、ピニオンギア５０の回転が内歯車２６１に伝達される。その結果、内歯車２６１が自転することにより、内歯付キャリア２６０とともにそのフランジ２６２に設けられる支持軸２６３も公転する。それに伴い、支持軸２６３に回転可能に支持される遊星歯車２８０が自転しながら公転を開始する。
【０１０８】
図９は、図８の状態から更に内歯付キャリア２６０を取り外した状態における斜視図である。図９に示されるように、遊星歯車２８０と太陽歯車３２３は互いに歯合している。したがって、遊星歯車２８０の回転が太陽歯車３２３に伝達され、太陽歯車付ウェイトホルダ３２０が自転を開始する。その結果、図１６に示されるように、太陽歯車付ウェイトホルダ３２０の凹部３２２に保持されたウェイト３４０が自転を開始する。そして、回転速度がある一定値を上回ると、遠心力によりウェイト３４０がケース１０Ａの内壁と当接する。これにより、ローレット２４０の回転に対して抵抗力が与えられる。
【０１０９】
次に、図１７及び図１８を用いて、組立状態における各部材間の相対位置について更に詳細に説明する。図１７は、図５（ｃ）のＡ−Ａ線切断部断面図である。図１７に示されるように、軸芯３１を中心とするピニオンギア５０と、内歯付キャリア２６０に設けられる内歯車２６１とが互いに歯合している。また、内歯車２６１の回転は、内歯付キャリア２６０の支持軸２６３を介して遊星歯車２８０に伝達されるように構成される。そして、遊星歯車２８０は、太陽歯車付ウェイトホルダ３２０に設けられた太陽歯車３２３及びケース１０Ａの内部に設けられた内周ギア１１５と互いに歯合する。したがって、ピニオンギア５０に起因する回転が加えられることにより、遊星歯車２８０は太陽歯車３２３と内周ギア１１５の間に形成される空間内を、内歯車２６１の中心部を中心として公転することが可能となる。
【０１１０】
図１８は、図６（ａ）のＢ−Ｂ線切断部断面図である。図１８に示されるように、本実施形態では、Ｂ−Ｂ線切断部断面図は取付筒７０２を中心として略左右対称となっている。そして、軸芯３１及び軸芯４１がケース１０Ａの上端及びベース７０の下端から突出している。なお、本実施形態では、第１ガイド壁１６Ａ及び第２ガイド壁１７Ａの上端が、それぞれ軸芯３１及び軸芯４１の上端と略同じ高さとなっている。
【０１１１】
そして、ローレット２４０及びローラ部４２がスライダー２２０の内部に位置している。更に、ローレット２４０とともにスライダー２２０を挟んだ状態で、ピニオンギア５０がスライダー２２０の外部に位置している。また、ピニオンギア５０と内歯車２６１が互いに歯合している。
【０１１２】
そして、ケース１０Ａの上側から鍔部１３にかけて、整列部材２００で覆われている。また、ケース１０Ａはその下端においてベース７０と係合している。そして、ベース７０の上部には、ウェイト３４０が保持されている。ここで、本実施形態では、ウェイト３４０を着脱式としているので、必要な制動力をウェイト３４０の数又は種類により調整することが可能となる。つまり、大きな制動力が求められる場合にはウェイト３４０の数を増やしたり、他のより密度の高いウェイトを太陽歯車付ウェイトホルダ３２０に保持すればよい。一方、小さな制動力で十分な場合には、ウェイト３４０の数を減らせばよい。なお、ウェイト３４０は、回転時における安定性の観点から、太陽歯車付ウェイトホルダ３２０に保持される面上において対称配置することが好ましい。なお、本実施形態では、ウェイト３４０に設けられた突起３４１とベース７０の底面が当接することにより、回転時におけるウェイト３４０とベース７０との間の抵抗力を低減している。
【０１１３】
１−４＜動作＞
次に、図１９を用いて本実施形態に係る制動装置１０００の動作について説明する。図１９（ａ）はコードＣＤに何ら張力が与えられない状態（定常状態）、図１９（ｂ）はコードＣＤに張力が与えられ、ローレット２４０及びローラ部４２でコードＣＤが挟着された状態（挟着状態）、図１９（ｃ）は図１９（ａ）から図１９（ｂ）へ状態変化する際における各部材の回転方向をまとめた図である。なお、図１９（ａ），（ｂ）はともに、図１７と同様に、図５（ｃ）のＡ−Ａ線切断部断面図である。ここで、説明の都合上、かかる断面図には現れないローラ部４２の外周を軸芯４１の周囲に、ローレット２４０の外周を軸芯３１の周囲に重ねて表示した。なお、ローレット２４０の外周は厳密には円形ではないが、説明の簡略化のため、円形に近似して図示している。
【０１１４】
図１９（ａ）に示されるように、定常状態において、上記のように、コイルスプリングＳＰは、ケース１０Ａの後方の内壁と当接し、スライダー２２０を前方に押圧する。したがって、スライダー２２０はケース１０Ａの前方に位置する。このため、スライダー２２０の第１天壁溝２２６及び第１底壁溝２２８により位置が規制されている軸芯３１と、第２天壁溝２２７及び第２底壁溝２２９により位置が規制されている軸芯４１と、がスライダー２２０とともに前方に移動する。更に、スライダー２２０の上部に保持されるケース１０Ａに設けられた第１天壁溝１６と第２天壁溝１７は、前方に向かうにつれて互いに距離が小さくなっている。同様に、ベース７０に設けられた第１ベース溝７０６及び第２ベース溝７０７は、前方に向かうにつれて距離が小さくなっている。したがって、軸芯４１に回転可能に支持されるローラ部４２と、軸芯３１に回転可能に支持されるローレット２４０との距離も小さくなる。つまり、第１天壁溝１６及び第１ベース溝７０６は、ローレット２４０の軸芯３１が移動可能に嵌合し、ローレット２４０が溝に沿わない動きをすることを規制する規制溝として機能する。同様に、第２天壁溝１７及び第２ベース溝７０７は、ローラ部４２の軸芯４１が移動可能に嵌合し、ローラ部４２が溝に沿わない動きをすることを規制する規制溝として機能する。また、第１天壁溝１６及び第１ベース溝７０６は、内歯付キャリア２６０の内周面の中心点と平面視において同心円上に形成されるため、軸芯３１がそれぞれの溝内を移動しても、ピニオンギア５０は内歯付キャリア２６０に設けられた内歯車２６１に歯合し続けることができる。
【０１１５】
このように、ローレット２４０とローラ部４２との距離が小さくなると、ローレット２４０はローラ部４２に押圧され、ローレット２４０とローラ部４２でコードＣＤが狭持される。つまり、本実施形態では、コイルスプリングＳＰは、ローレット２４０がローラ部４２に押圧されるように、ローレット２４０を常時付勢する付勢部材としても機能する。
【０１１６】
そして、定常状態の制動装置１０００において、コードＣＤに矢印Ｄ１の向き（前方）に張力を与えたとする。すると、コードＣＤとの間に生じる摩擦力により、ローレット２４０が反時計回りに、ローラ部４２が時計回りに回転する。そして、ローレット２４０の回転により、同じ軸芯３１を共有して固定されているピニオンギア５０もローレット２４０と同じ向き（反時計周り）に回転（自転）する。この際、図１９（ｂ）に示されるように、軸芯３１及び軸芯４１は、平面視において前方に移動し、左右方向において互いに近接して、ローレット２４０とローラ部４２によるコードＣＤの挟着力が強くなり、コードＣＤの移動に応じてローレット２４０が確実に回転するようになる。すると、ピニオンギア５０は内歯車２６１と歯合しているので、ピニオンギア５０の歯から与えられる力により、内歯車２６１が反時計周りに回転（自転）する。これにより、内歯車２６１とともに内歯付キャリア２６０も反時計周りに回転（自転）するので、内歯付キャリア２６０に設けられた遊星歯車２８０も同様に反時計周りに回転（公転）する。ここで、遊星歯車２８０は太陽歯車３２３及びケース１０Ａにより固定された内周ギア１１５と互いに歯合しているので、公転方向とは逆向き（時計回り）に自転しつつ、反時計周りに公転することとなる。したがって、遊星歯車２８０の内側で遊星歯車２８０と歯合する太陽歯車３２３は、遊星歯車２８０の自転と逆向き（反時計周り）に回転（自転）する。このとき、遊星歯車２８０により、太陽歯車３２３の回転は増速される。これにより、太陽歯車３２３とともに回転する太陽歯車付ウェイトホルダ３２０に保持されるウェイト３４０も回転を開始する。なお、すでに述べた通り、遊星歯車２８０の外側で遊星歯車２８０と歯合する内周ギア１１５は、ケース１０Ａとベース７０が固定されているため、遊星歯車２８０の回転時においても回転しない。
【０１１７】
そして、図１９（ｂ）に示されるように、ローレット２４０とローラ部４２が限界まで近づく（挟着状態）と、ローレット２４０の自転は続くもののローレット２４０の内歯車２６１に沿った移動が停止する。このとき、ローレット２４０の自転に起因した他の部材の回転は継続される。すると、遠心力によりウェイト３４０がケース１０Ａの内周壁に当接することにより、回転に対して抵抗力が生じる。つまり、コードＣＤの移動速度が上昇することで回転速度が上昇し、これにより遠心力が上昇する。そして、遠心力が上昇することによりウェイト３４０がケース１０Ａの内周壁により強く当接することになり、抵抗力が上昇する。これにより、コードＣＤの移動速度（日射遮蔽部材の落下速度）を抑えることができる。ここで、コードＣＤに加えられる張力が略一定の場合（例えば、制動装置１０００の前方側のコードＣＤに昇降可能に吊持される日射遮蔽部材が自由落下する場合）には、コードＣＤに加えられる張力とウェイト３４０とケース１０Ａの内周壁による抵抗力が釣り合うところで、コードＣＤの移動速度が略一定となる。したがって、制動装置１０００は、コードＣＤの移動に対する回転ダンパとして機能し、日射遮蔽部材をゆっくりと降下させることが可能となる。
【０１１８】
以上説明した、定常状態から挟着状態までの挟着状態の変化について、各部材の回転方向（ピニオンギア５０については、更に平面視における前後方向及び締め付け方向も含む）をまとめたものが図１９（ｃ）である。
【０１１９】
一方、コードＣＤに矢印Ｄ１と逆向き（後方）に張力を与えた場合には、ローレット２４０及びローラ部４２が上記と逆向きに回転する。その結果、軸芯３１及び軸芯４１が第１天壁溝１６及び第２天壁溝１７に沿って互いに離間するように移動する。すると、コードＣＤに対するローレット２４０の挟着力が弱まり、弱い力でコードＣＤを引っ張ることが可能となる。したがって、ヘッドボックス内に制動装置１０００を設ける場合には、図１９において前方にコードＣＤに張力が加わる向きを日射遮蔽部材の下降する向きとし、後方にコードＣＤに張力が加わる向きを日射遮蔽部材の上昇する向きとすると好適である。
【０１２０】
以上説明したように、本実施形態に係る制動装置１０００は、コードと挟着体が一方向に相対移動するときコードを挟着体が挟着し、他方向へ相対移動するときコードが非屈曲状態で解除されるよう挟着状態が変化するよう構成された制動装置と言うことができる。ここで、コードが解除されるとは、コードの移動を許容する状態のことであり、コードと挟着体の接触・非接触を問わない。
【０１２１】
＜作用・効果＞
本実施形態に係る制動装置１０００により、以下のような作用・効果を得ることができる。
（１）コードＣＤの自由移動時において屈曲しない（非屈曲）ために、屈曲抵抗が小さくなり、よりスムーズにコードＣＤが移動することが可能になる。
（２）引き操作時において操作力を低減し、自動動作（自動降下）時に確実にコードＣＤを挟着し、意図しない落下を防止することができる。
（３）コードＣＤに前方へ張力が与えられる場合には、ローレット２４０及びローラ部４２が互いに近接するように移動することにより、コードＣＤを強く挟着することができ、ローレット２４０を確実に回転させ、回転をピニオンギア５０に伝えることができる。
（４）コードＣＤに後方へ張力が与え得られる場合には、ローレット２４０及びローラ部４２が互いに離間するように移動することにより、コードＣＤへの挟着力を弱め、コードＣＤの自由移動を許可することができる。
（５）筐体（ケース１０Ａ及びベース７０）に設けられた規制溝により、ローレット２４０及びローラ部４２が意図しない向きに移動することを防止することができる。
（６）スライダー２２０を浮き状態で保持することにより、抵抗力を低減し、部材の消耗を抑えることができる。
（７）ケース１０Ａの内部に波形部１１６や段差１１７を設けたことにより、摩擦抵抗を低減することができる。
（８）ウェイト３４０に設けた突起３４１により、抵抗力を低減することができる。
（９）プレート３００により遊星歯車２８０の傾きを防止するとともに、遊星歯車２８０とウェイト３４０の干渉を防ぐことができる。
（１０）上記干渉を防止しつつもプレート３００を薄型のものとすることで制動装置１０００を小型化することができる。
（１１）第１ガイド壁１６Ａ及び第２ガイド壁１７Ａにより、軸芯３１及び軸芯４１からの圧力でケース１０Ａが削れることを防止することが可能となる。
（１２）ピニオンギア５０に段差５１を設けたことで、ピニオンギア５０とスライダー２２０との間の摺動抵抗を低減することができる。
（１３）ウェイト３４０を着脱式としているので、必要な制動力をウェイト３４０の数又は種類により調整することが可能となる。
（１４）運動変換部に係る機構と抵抗付与部に係る機構が略垂直に位置するように配置されることにより、制動装置１０００全体の平面視における面積を低減することが可能となる。
【０１２２】
２．変形例
本発明に係る遮蔽装置１００は、以下の態様においても実施することができる。
【０１２３】
本発明の遮蔽装置１００は、上記実施形態の遮蔽装置１００と異なる構成であってもよい。例えば、図２１に示されるように、ねじ１１１等を用いて窓枠１１０に制動装置１０００を固定するようにしてもよい。また、グリップ１０９の内部に制動装置１０００を設けてもよい。更に、昇降コード１０２の通過経路の任意の場所に制動装置１０００を設けることとしてもよい。
【０１２４】
本実施形態に係る遮蔽装置１００において、制動装置１０００は、８個のウェイト３４０を保持可能な太陽歯車付ウェイトホルダ３２０を具備しているが、かかる数は８個に限定されるものではない。好ましくは、２〜１６個であり、更に好ましくは、４〜１８個である。また、偶数個であることが好ましい。
【０１２５】
上述の実施形態は、ケース１０Ａ（上ケース）とベース７０（下ケース）が係合され、筐体を形成し、このような構成によって制動装置１０００における所望の制動力を得るために又は当該制動力を調節するために、太陽歯車付ウェイトホルダ３２０に載置するウェイト３４０の個数を変更することができる。しかしながら当該構成には限られず、図２１（ａ）及び（ｂ）に示されるように、変形例に係る制動装置２０００が、例えば両者の一部がヒンジ機構１０Ｂｃで固定されていて、ウェイト３４０等を収容する収容手段たる下ケース１０Ｂｂとそれを遮蔽する蓋手段たる上ケース１０Ｂａとから構成されてもよい。すなわち、図２２に（ａ）及び（ｂ）に示されるように、蓋手段たる上ケース１０Ｂａが収容手段たる下ケース１０Ｂｂから開閉可能に構成されることとなる。いずれにしても、制動装置２０００における所望の制動力を得るために又は当該制動力を調節するために、太陽歯車付ウェイトホルダ３２０に載置するウェイト３４０の個数を変更することができる。
【０１２６】
上述の実施形態では、太陽歯車付ウェイトホルダ３２０は、ウェイト３４０を載置可能な凹部３２２（特許請求の範囲における「載置部」の一例）を８個有するものであったが、かかる個数は限定されない。例えば図２３に示される変形例に係る制動装置３０００において、ウェイトホルダ３２０ｂは、ウェイト３４０を載置できる載置部３２２ｂを４個備えている。すなわちウェイト３４０を最大で４個まで載置でき、かかる場合であってもウェイト３４０の個数を変更することができる。
【０１２７】
上述の実施形態では、太陽歯車付ウェイトホルダ３２０は、ウェイト３４０を載置可能に構成され、ウェイト３４０が摺動抵抗を発生させる回転抵抗体として機能するものであった。これに代えて、図２４に示されるような、回転することによって空気抵抗を発生させる風切り羽根３４０ｃを回転抵抗体として採用してもよい。かかる場合、風切り羽根３４０ｃは、ホルダ３２０ｃに着脱可能に構成される。図２４に示される例においては、風切り羽根３４０ｃは、ホルダ３２０ｃの回転に係る径方向外側に延在する風切り羽根支持部３２１ｃに保持される。具体的には、図２４に示されるように、風切り羽根３４０ｃが係合溝３４０ｅを備え且つ風切り羽根支持部３２１ｃが係合溝３２１ｅを備えている。つまり、風切り羽根３４０ｃを風切り羽根支持部３２１ｃにスライドさせることで２つの係合溝３２１ｅ、３４０ｅが係合する構成となっている。ただしあくまでも例示でありこの限りではない。風切り羽根３４０ｃは、風切り羽根支持部３２１ｃに比して高さ方向に広がりを有する抵抗発生面３４０ｄを備えているため、回転時に風切り羽根３４０ｃを保持させない場合に比して大きな空気抵抗を発生させることができる。なお、図２４においては、抵抗発生面３４０ｄは長方形として図示されているが、これに限定されず例えば台形や正方形を採用してもよい。
【産業上の利用可能性】
【０１２８】
以上説明したように、本発明によれば、コードに対して適切に制動力を加えることができる制動装置、運動変換部及び、それを用いた遮蔽装置が提供され、生活必需品等の分野において利用することができる。
【符号の説明】
【０１２９】
１０Ａ    ：ケース
１０Ｂａ  ：上ケース
１０Ｂｂ  ：下ケース
１０Ｂｃ  ：ヒンジ機構
１１      ：天壁部
１２ｂ    ：後側壁部
１２ｆ    ：前側壁部
１２ｌ    ：左側壁部
１２ｒ    ：右側壁部
１３      ：鍔部
１３Ｃ    ：円筒部
１３Ｌ    ：円筒部
１６      ：第１天壁溝
１６Ａ    ：第１ガイド壁
１７      ：第２天壁溝
１７Ａ    ：第２ガイド壁
１９      ：係合孔
３１      ：軸芯
４０      ：アイドルローラ
４１      ：軸芯
４２      ：ローラ部
５０      ：ピニオンギア
５１      ：段差
７０      ：ベース
１００    ：遮蔽装置
１０１    ：日射遮蔽部材
１０２    ：昇降コード
１０２ｃ  ：昇降コード
１０２ｌ  ：昇降コード
１０２ｒ  ：昇降コード
１０４    ：ロック部
１０８    ：操作棒
１０９    ：グリップ
１１０    ：窓枠
１１１    ：ねじ
１１１Ａ  ：第１係合溝
１１１Ｂ  ：第２係合溝
１１２    ：カバー部
１１３    ：ガイド溝
１１４    ：支持溝
１１５    ：内周ギア
１１６    ：波形部
１１７    ：段差
１１８    ：溝
１１９Ａ  ：第１側壁孔
１１９Ｂ  ：第２側壁孔
１２０    ：操作部
１２１    ：コードイコライザ
１２２    ：ボトムレール
１２３    ：ラダーコード
１２４    ：シャフト
１３０    ：ヘッドボックス
１３１    ：上面
１３２    ：底面
１３３    ：側面
１３４    ：ボックスキャップ
１３５    ：コード出口
１３６    ：取付け凹部
２００    ：整列部材
２０１    ：第１前方溝
２０１Ａ  ：第１前方コード挿入部
２０２    ：第２前方溝
２０２Ａ  ：第２前方コード挿入部
２０３    ：第１後方溝
２０３Ａ  ：第１後方コード挿入部
２０４    ：第２後方溝
２０４Ａ  ：第２後方コード挿入部
２０５    ：前方壁部
２０６    ：後方壁部
２０７    ：右側壁部
２０８    ：左側壁部
２０９    ：爪部
２１０    ：段差
２２０    ：スライダー
２２１    ：天壁部
２２２    ：後側壁部
２２３    ：底壁部
２２４    ：前側壁部
２２５    ：貫通孔
２２６    ：第１天壁溝
２２７    ：第２天壁溝
２２８    ：第１底壁溝
２２９    ：第２底壁溝
２３０    ：突起
２３１    ：凹部
２４０    ：ローレット
２４１    ：ワッシャー
２６０    ：内歯付キャリア
２６１    ：内歯車
２６２    ：フランジ
２６３    ：支持軸
２６４    ：円柱部
２８０    ：遊星歯車
２８１    ：段差
３００    ：プレート
３２０    ：太陽歯車付ウェイトホルダ
３２０ａ  ：ウェイトホルダ
３２０ｂ  ：ウェイトホルダ
３２０ｃ  ：ホルダ
３２１    ：凸部
３２１ｃ  ：風切り羽根支持部
３２１ｅ  ：係合溝
３２２    ：凹部
３２２ｂ  ：載置部
３２３    ：太陽歯車
３２４    ：リング部
３４０    ：ウェイト
３４０ａ  ：ウェイト
３４０ｃ  ：風切り羽根
３４０ｄ  ：抵抗発生面
３４０ｅ  ：係合溝
３４１    ：突起
７０１Ａ  ：第１係合板部
７０１Ｂ  ：第２係合板部
７０２    ：取付筒
７０６    ：第１ベース溝
７０６Ａ  ：第１ガイド壁
７０７    ：第２ベース溝
７０７Ａ  ：第２ガイド壁
７０８    ：円柱部
７０９    ：溝
１０００  ：制動装置
２０００  ：制動装置
３０００  ：制動装置
ＣＤ      ：コード
ＳＰ      ：コイルスプリング
【図１Ａ】
2017210863.tif 000003
【図１Ｂ】
2017210863.tif 000004
【図１Ｃ】
2017210863.tif 000005
【図２】
2017210863.tif 000006
【図３】
2017210863.tif 000007
【図４】
2017210863.tif 000008
【図５】
2017210863.tif 000009
【図６】
2017210863.tif 000010
【図７】
2017210863.tif 000011
【図８】
2017210863.tif 000012
【図９】
2017210863.tif 000013
【図１０】
2017210863.tif 000014
【図１１】
2017210863.tif 000015
【図１２】
2017210863.tif 000016
【図１３】
2017210863.tif 000017
【図１４】
2017210863.tif 000018
【図１５】
2017210863.tif 000019
【図１６】
2017210863.tif 000020
【図１７】
2017210863.tif 000021
【図１８】
2017210863.tif 000022
【図１９】
2017210863.tif 000023
【図２０】
2017210863.tif 000024
【図２１】
2017210863.tif 000025
【図２２】
2017210863.tif 000026
【図２３】
2017210863.tif 000027
【図２４】
2017210863.tif 000028
【図２５】
2017210863.tif 000029
【図２６】
2017210863.tif 000030